(57)【要約】      （修正有）【課題】レバー構造を有する重量検出装置及びこれを備えた調理器具、重量検出装置の取付構造を提供する。【解決手段】調理室の底の背面１０４ｂにはレバー３０６により加圧される重量センサー５０２が取り付けられる。前記レバー３０６は、前記重量センサー５０２から前記レバー突出穴に延設され、その第１端１２０はレバー突出穴を通じて調理室１０２内に突出させられ、前記レバー３０６の第２端４２０は前記センサーハウジング３０４のレバー挿入穴に挿入されて前記重量センサー５０２と接触し、これにより、ローラ１０８ａが突出させられた前記第１端１２０を通過するとき発生する加圧力がてこ作用により重量センサー５０２に伝達される。【選択図】  図５
2004361068.tif 000002
【特許請求の範囲】
【請求項１】
底の背面にレバー突出穴が形成される調理室と、
前記調理室の下方に設けられる重量センサーと、
前記重量センサーから前記レバー突出穴に延設され、第１端が調理室に収納される調理物によって加圧されてその加圧力を、てこ作用によって前記重量センサーに伝達するレバーと、を含むことを特徴とする調理器具。
【請求項２】
前記重量センサーは、前記調理室に収納される調理物の重量に対応する大きさの出力信号を発生させることを特徴とする請求項１に記載の調理器具。
【請求項３】
前記レバーは、第１端が前記レバー突出穴を通じて前記調理室内へ突出させられ、第２端が前記重量センサーに触れることを特徴とする請求項１に記載の調理器具。
【請求項４】
前記調理室の底の背面に取り付けられて前記重量センサーを収納するセンサーハウジングと、
前記レバーの第２端が前記センサーハウジングに収納された重量センサーと接触可能に挿入されるように前記センサーハウジング上に形成されるレバー挿入穴と、をさらに含むことを特徴とする請求項１に記載の調理器具。
【請求項５】
前記センサーハウジングには前記レバーの第１端と第２端との間のある部分が締付けられるようにするレバー締付け部がさらに一体形成され、
前記レバーが前記レバー締付け部に締付けられると、前記レバーの締付けられる前記レバー締付け部の部分がてこ作用の支点として作用することを特徴とする請求項４に記載の調理器具。
【請求項６】
前記センサーハウジングは、前記調理室の底の背面で前記レバー突出穴の形成位置から離れた位置に設けられることを特徴とする請求項４に記載の調理器具。
【請求項７】
前記センサーハウジングは、前記調理室の底の背面と接する面に少なくとも一つの突起を有し、
前記調理室の底の背面には前記センサーハウジングの突起がそれぞれ挿入されることによって前記センサーハウジングの取付位置を案内する少なくとも一つの位置案内部が備えられることを特徴とする請求項４に記載の調理器具。
【請求項８】
前記センサーハウジング上に二つの突起が設けられ、前記調理室の底の背面に二つの位置案内部が設けられ、
前記二つの突起の相互間隔と前記二つの位置案内部の相互間隔が同一であることを特徴とする請求項７に記載の調理器具。
【請求項９】
前記少なくとも一つの位置案内部は、前記調理室の底の背面を穿孔して形成した貫通穴であることを特徴とする請求項７に記載の調理器具。
【請求項１０】
前記調理室の底の背面に形成された前記少なくとも一つの位置案内部に少なくとも一つの前記突起が前記調理室内へ突出することなく挿入されることを特徴とする請求項７に記載の調理器具。
【請求項１１】
前記センサーハウジングは前記調理室の底の背面と接する少なくとも一つの翼部を備え、
前記調理室の底の背面と接する前記翼部の上部面に少なくとも一つの前記突起が形成されることを特徴とする請求項７に記載の調理器具。
【請求項１２】
調理物が載せられて回転するトレイと、
前記トレイと底面との間で転がり接触し、前記トレイが回転するとき一緒に移動する複数のローラと、
底の背面に取り付けられる重量センサーと、
前記重量センサーから前記ローラの移動軌跡上に延設させられ、前記ローラから与えられる加圧力を、てこ作用により前記重量センサーに伝達するレバーと、からなる調理室を含むことを特徴とする調理器具。
【請求項１３】
前記重量センサーと電気的に連結され、前記重量センサーで検出される圧力変化に基づいて前記トレイに載せられた計量対象物の重量を判別する制御部をさらに含むことを特徴とする請求項１２に記載の調理器具。
【請求項１４】
前記ローラの移動軌跡上に形成されるレバー突出穴と、
前記レバー突出穴を通じて前記調理室内へ突出させられる前記レバーの第１端と、
前記重量センサーに接するように設けられる前記レバーの第２端と、をさらに含むことを特徴とする請求項１２に記載の調理器具。
【請求項１５】
前記重量センサーが前記レバー突出穴の形成位置から離れた位置に取り付けられることを特徴とする請求項１４に記載の調理器具。
【請求項１６】
底の背面に少なくとも一つの位置案内部が設けられる調理室と、
前記調理室に収納される調理物の重量に対応する電気信号を発生させる重量センサーと、
前記調理室の底の背面で少なくとも一つの前記位置案内部と相応する位置に取り付けられ、前記重量センサーを収納するセンサーハウジングと、
前記センサーハウジングを前記調理室の底の背面に固定するブラケットと、を含むことを特徴とする調理器具。
【請求項１７】
前記センサーハウジングには突起が形成され、
前記突起は、前記位置案内部に前記調理室の下方からそれぞれ挿入されるものの、前記調理室の内部には突出しないことを特徴とする請求項１６に記載の重量検出装置。
【請求項１８】
前記センサーハウジングは、
前記調理室の底の背面と接する少なくとも一つの翼部と、
前記調理室の底の背面と接する前記翼部の上部面に形成される少なくとも一つの突起と、をさらに含むことを特徴とする請求項１６に記載の重量検出装置。
【請求項１９】
前記ブラケットが溶接または接着剤にて前記調理室の底の背面に固定されることを特徴とする請求項１６に記載の調理器具。
【請求項２０】
前記調理室の底面に位置する環状のローラ支持部材と、
前記ローラ支持部材に回転可能に設けられる複数のローラと、をさらに含むことを特徴とする請求項１６に記載の調理器具。
【請求項２１】
底の背面に形成されるレバー突出穴と、
底の背面に取り付けられる重量センサーと、
内部に突出させられて重量センサー部から加えられる力を伝達するレバー突起と、を含んでなる調理室を備えることを特徴とする調理器具。
【請求項２２】
前記調理室の下に形成されてトレイを回転させるトレイモータと、
前記トレイモータとトレイとを連結する回転軸と、をさらに含むことを特徴とする請求項１２に記載の調理器具。
【請求項２３】
前記制御部は、使用者が調理条件を入力できるように調理モード設定ボタン及び数字ボタンを備える入力部をさらに含むことを特徴とする請求項１３に記載の調理器具。
【請求項２４】
マグネトロンを駆動して電磁波を発生させるマグネトロン駆動部と、
冷却ファンを駆動させるファン駆動部と、
表示部を駆動させるディスプレイ駆動部と、
トレイモータを駆動して前記調理室内のトレイを回転させるトレイモータ駆動部と、をさらに含むことを特徴とする請求項１３に記載の調理器具。
【請求項２５】
前記少なくとも一つの位置案内部は、二つが１対をなし、二つの位置案内部の位置とレバー突出穴の位置とが三角形をなすことを特徴とする請求項７に記載の調理器具。
【請求項２６】
前記少なくとも一つの位置案内部は、前記調理室の底面を穿孔して貫通穴を形成するか、調理室の底の背面に溝を形成することによってなることを特徴とする請求項７に記載の調理器具。
【請求項２７】
前記少なくとも一つの位置案内部は、前記レバー貫通穴から一定距離だけ離れて設けられることを特徴とする請求項７に記載の調理器具。
【請求項２８】
前記重量センサーを収納できるように前記センサーハウジングの上部側に開口部が形成されることを特徴とする請求項４に記載の調理器具。
【請求項２９】
前記センサーハウジングの上部側に形成される前記開口部は、前記調理室の底の背面と接触することを特徴とする請求項２８に記載の調理器具。
【請求項３０】
前記センサーハウジングに形成されるレバー挿入穴は、前記センサーハウジングの上部側に形成される開口部の反対側に設けられることを特徴とする請求項２９に記載の調理器具。
【請求項３１】
前記センサーハウジングのレバー挿入穴には前記レバーの第２端が挿入されて前記重量センサーと接触することを特徴とする請求項３０に記載の調理器具。
【請求項３２】
前記レバーの第１端は前記調理室の内部へ突出させられて力の作用点として機能し、
前記レバーの第２端は前記重量センサーと接触して力を伝えるテコ作用の作用点として機能することを特徴とする請求項５に記載の調理器具。
【発明の詳細な説明】
【技術分野】
【０００１】
本発明は、重量検出装置付き調理器具に関し、特に、調理物の重量を正確に検出し、検出された調理物の重量に基づいて適正な調理時間を決定する調理器具における重量センサー取付構造に関する。
【背景技術】
【０００２】
ガス・電気オーブンや電子レンジのような自動調理器具では、予め備えられる制御方法に応じて調理物が自動で調理される。自動調理器具の有効な使用において、調理物が適正時間をかけて適正の加熱量で自動調理されるためには調理物の種類と量のような調理物関連情報が入力される必要がある。
【０００３】
かかる調理物関連情報は使用者により自動調理器具の入力装置から提供される。このように調理物関連情報が使用者により手動で入力されるにあたり、使用者は調理物の量を正確に検出するために別途の重量検出手段を利用する必要がある。しかし、別途の重量検出手段が備えられていないか、別途の重量検出手段を利用するのが煩わしくて大ざっぱに使用者が調理物の量を量り自動調理器具に入力すると、調理物の実際の量と入力された情報との間に誤差が生じる恐れがある。この誤差のため、自動調理器具の制御装置は調理に要する適正調理時間及び加熱量が決定できず、結果として調理物の調理品質が満足できるような水準に至らなくなる問題点があった。
【発明の開示】
【発明が解決しようとする課題】
【０００４】
したがって、本発明は、調理物の重量を自動で正確に検出するための重量センサーの取付構造を改善し、調理物による重量センサーの汚染が防止されるようにした調理器具を提供することにその目的がある。
【課題を解決するための手段】
【０００５】
上記の目的を達成するために、本発明に係る調理器具は、底の背面にレバー突出穴が形成される調理室と、前記調理室の下に設けられる重量センサーと、前記重量センサーから前記レバー突出穴に延設され、第１端が調理室に収納される調理物によって加圧されてその加圧力を、てこ作用によって前記重量センサーに伝達するレバーと、を含むことを特徴とする。
【０００６】
また、本発明に係る調理器具は、調理物が載せられて回転するトレイと底面との間で転がり接触し、前記トレイが回転するとき一緒に移動するローラが備えられる調理室と、前記調理室の下に取り付けられる重量センサーと、前記重量センサーから前記ローラの移動軌跡上に延設され、前記ローラから与えられる加圧力をてこ作用により前記重量センサーに伝達するレバーと、を含むのが好ましい。
【０００７】
また、本発明に係る調理器具は、底の背面に少なくとも一つの位置案内部が設けられる調理室と、前記調理室に収納される調理物の重量に対応する電気信号を発生させる重量センサーと、前記調理室の底の背面で少なくとも一つの前記位置案内部と相応する位置に取り付けられ、前記重量センサーを収納するセンサーハウジングと、前記センサーハウジングを前記調理室の底の背面に固定させるブラケットと、を含むことを特徴とする。
【発明の効果】
【０００８】
本発明に係る調理器具は、調理物の重量を自動で正確に検出するための重量センサーの取付構造を改善したため、調理物による重量センサーの汚染を防止することができる。
【発明を実施するための最良の形態】
【０００９】
以下、本発明に係る好ましい実施形態を、添付図面を参照しつつ詳細に説明する。なお、図面中、同一の構成要素には同一の参照番号を共通使用するものとする。
【００１０】
本発明の好ましい実施例に係る調理器具を図１ないし図６を参照して説明すると、下記の通りになる。まず、図１は、本発明の一実施例に係る電子レンジを示す斜視図である。図１に示すように、本発明に係る電子レンジ１００の調理室１０２には、調理物が載せられ回転させられるようにトレイ１１０が設けられる。調理室１０２の下方にはトレイ１１０を回転させるためのトレイモータ(図示せず)が設置され、該トレイモータとトレイ１１０とが回転軸１０４ａにより機械的に結合されて一緒に回転する。調理室１０２の底面１０４上には環状のローラ支持部材１０８が設けられ、該ローラ支持部材１０８にはローラ１０８ａが回転可能に設けられる。トレイ１１０は前記ローラ１０８ａの上に載せられ、そのローラ支持部材１０８及びローラ１０８ａの作用によって傾いたり揺れたりすることなく調理室１０２の底面１０４において回転軸１０４ａを中心に円滑に回転する。また、調理室１０２の底面１０４でローラ１０８ａが移動するトラック上には、ローラ１０８ａによる加圧力を重量センサー(図５参照)に伝達するためのレバー(図２参照)の第１端１２０が突出させられる。
【００１１】
図２は、図１に示した本発明の一実施例に係る電子レンジの制御系統を示すブロック図である。図２に示すように、電子レンジの動作全般を制御する制御部２０２の入力ポートには入力部２０４と重量センサー２０６とが連結される。入力部２０４には、使用者が調理条件を入力できるようにするための調理モード設定ボタンや数字ボタンなどが備えられる。一方、制御部２０２の出力ポートには、マグネトロン駆動部２０８、ファン駆動部２１２、トレイモータ駆動部２１６、及びディスプレイ駆動部２２０が連結される。マグネトロン駆動部２０８は、マグネトロン２１０を駆動して電磁波を発生させる。ファン駆動部２１２は、冷却ファン２１４を駆動して電子レンジの電装室(図示せず)に備えられている各種電気装置を冷却させる。トレイモータ駆動部２１６は、トレイモータ２１８を駆動して調理室１０２内のトレイ１１０が回転させられるようにする。ディスプレイ駆動部２２０は、表示部２２２を駆動して調理に必要なヘルプ情報や調理情報、現在の設定値などが表示されるようにする。
【００１２】
図３は、図１に示した本発明の一実施例に係る電子レンジに取り付けられる重量検出装置の取付構造を示す斜視図である。図３に示すように、調理室の底の背面１０４ｂ、つまり、調理室１０２の底面１０４の背面では、センサーハウジング３０４に収納される重量センサー(図示せず)がレバー３０６によって加圧される。センサーハウジング３０４は、レバー締付け部３０４ａを備え、該レバー締付け部３０４ａにはレバー３０６が締付け部材３１０にて揺動可能に締付けられる。ブラケット３０２は一側に形成される開口部を通じてセンサーハウジング３０４の側面から挿入されて締付け部材３０８にて締め付けられることによってセンサーハウジング３０４を固定させ、ブラケット３０２自身は調理室の底の背面１０４ｂに溶接や接着剤にて取り付けられる。
【００１３】
図４は、図３に示した本発明の一実施例に係る電子レンジに備えられる重量検出装置の分解斜視図である。図４に示すように、調理室１０２の底の背面１０４ｂにはセンサーハウジング３０４の取付位置を案内する位置案内部４１６が形成され、また、レバー３０６の第１端１２０が調理室１０２の内部へ突出させられるようにするレバー突出穴４１４が形成される。該レバー突出穴４１４は、調理室１０２の底の背面１０４ｂでローラ１０８ａの移動軌跡上に形成される。位置案内部４１６は、前記レバー突出穴４１４とセンサーハウジング３０４の正確な相対位置を限定するためのものである。ここで、前記相対位置とは、センサーハウジング３０４が位置案内部４１６の相応位置に設置され、このセンサーハウジング３０４にレバー３０６が結合されたとき、レバー３０６の第１端１２０がレバー突出穴４１４を貫通し、レバー３０６の第２端４２０がセンサーハウジング３０４に挿入され得る位置をいう。位置案内部４１６は二つが１対をなすが、これは、二つの位置案内部４１６とレバー突出穴４１４とが三角形をなすようにすることによってセンサーハウジング３０４とレバー３０６の正確な位置及び方向を確保するためである。この位置案内部４１６は、調理室１０２の底面１０４を穿孔して貫通穴を形成させてなるか、調理室１０２の底の背面１０４ｂに溝を形成させてなる。
【００１４】
センサーハウジング３０４の取付位置を決定付ける位置案内部４１６の形成位置は、調理室１０２の底の背面１０４ｂのレバー突出穴４１４の形成位置から一定距離だけ離れるようにする。こうすると、センサーハウジング３０４とレバー突出穴４１４が互いに離れることになるため、調理室１０２内で調理が行われる途中で調理物から発生する水分や調理物の屑などがレバー突出穴４１４から調理室１０２の下方に流れても、これらによってセンサーハウジング３０４に収納されている重量センサーが汚染される恐れがない。
【００１５】
センサーハウジング３０４は重量センサーを収納するためのものであり、上部には重量センサーが挿入され得るように開口部が形成され、該開口部を通じて挿入される重量センサー５０２は別途備えられる制御装置(図示せず)と通信可能に電気的に連結される。センサーハウジング３０４は、その開口部が調理室１０２の底の背面１０４ｂと接するように設けられ、前記重量センサー５０２に対応するように形成された開口部の反対側のセンサーハウジング３０４上にはレバー挿入穴４１８が形成される。該レバー挿入穴４１８を通じてレバー３０６の第２端４２０が挿入されてセンサーハウジング３０４内の重量センサー５０２に触れる。センサーハウジング３０４の両側には翼部４１０が設けられる。調理室１０２の底の背面１０４ｂと接する各翼部４１０の面には、位置案内部４１６に挿入可能となるように突出された突起(図示せず)が設けられ、その背面には締付け部材３０８の一部が挿入可能となるように締付け部材挿入溝４０２が設けられる。センサーハウジング３０４の翼部４１０に設けられる突起間の間隔は、調理室１０２の底の背面１０４ｂに設けられる位置案内部４１６間の間隔と同一である。
【００１６】
センサーハウジング３０４にはレバー締付け部３０４ａが一体に設けられ、ここには締付け穴４０６が形成される。該レバー締付け部３０４ａの締付け穴４０６とレバー３０６の締付け穴４０８とを一致させた後、両締め付け穴４０６，４０８に締付け部材３１０を挿入することによってレバー３０６がレバー締付け部３０４ａに回転可能に締付けられる。その結果、締付け部材３１０の挿入されるレバー締付け部３０４ａの部分は、レバー３０６のてこ作用の支点として作用する。
【００１７】
レバー３０６は棒状からなり、その第１端１２０が調理室１０２の底の背面１０４ｂのレバー突出穴４１４を通じて挿入されて調理室１０２の内部へ突出させられる。調理室１０２の内部へ突出させられるレバー３０６の第１端１２０が調理室１０２の内部でローラ１０８ａによって加圧されることによってレバー３０６全体にかけて、てこ作用が発生する。レバー３０４の第１端１２０は力の作用点(つまり、力の加えられる地点)となる。
【００１８】
レバー３０４の第２端４２０は、レバー３０４の第１端１２０がローラ１０８ａによって加圧されるときに発生するてこ作用の作用点（つまり、てこ作用が及ぶ地点)となり、このようなてこ作用によってレバー３０４の第２端４２０がセンサーハウジング内の重量センサーを加圧する。
【００１９】
ブラケット３０２は、センサーハウジング３０４を調理室１０２の底の背面１０４ａに固定させるためのものであり、センサーハウジング３０４の翼部４１０が挿入されて調理室１０２の底の背面１０４ｂに接するように側面と上部に開口部が形成される空間を備える。また、センサーハウジング３０４がブラケット３０２にて固定されたとき、センサーハウジング３０４のレバー挿入穴４１８及びレバー締付け部３０４ａがブラケット３０２の下方に露出されるようにブラケット３０２の下部にも部分的に開口部が形成される。つまり、ブラケット３０２はその下方から見て“Ｕ”形状となる。ブラケット３０２の下部面には二つの締付け部材挿入穴４０４が形成される。締付け部材３０８が締付け部材挿入穴４０４を通じて挿入され、ブラケット３０２の側面開口部を通じて挿入されるセンサーハウジング３０４の締付け部材挿入溝４０２を加圧する。
【００２０】
このように構成される本発明に係る調理器具の重量検出装置の取付方法は、下記のようである。まず、センサーハウジング３０４内に重量センサーを挿入する。センサーハウジング３０４の翼部４１０に形成されている突起を調理室１０２の底の背面１０４ｂの位置案内部４１６に挿入することによってセンサーハウジング３０４の正確な取付位置を確保する。この状態で、ブラケット３０２をセンサーハウジング３０４の一側に挿入し、締付け部材３０８にてブラケット３０２とセンサーハウジング３０４とを締付ける。センサーハウジング３０４及びブラケット３０２の位置が確保されると、ブラケット３０２と調理室１０２の底の背面１０４ｂとの接触部位を溶接するか、接着剤にて固定する。調理室１０２の底の背面１０４ｂに形成される位置案内部４１６が溝でなく穴の形態を有すると、センサーハウジング３０４の翼部４１０に形成される突起を、これらの穴が完全に閉塞されるような大きさに形成して調理室１０２内の高周波信号が外部へ漏れなくする。
【００２１】
図５は、図３に示した本発明の一実施例に係る電子レンジの重量検出装置の側断面図である。図５に示すように、調理室１０２内でローラ１０８ａによってレバー３０６の第１端１２０が加圧されると、てこ作用によってレバー３０６の第２端４２０がセンサーハウジング３０４内の重量センサー５０２を加圧する。すると、図２に示した制御部２０２は、レバー３０６による重量センサー５０２の加圧度合いを検出することでトレイ１１０に載せられている計量対象物の重量を判別する。
【００２２】
図６は、図３に示した本発明の一実施例に係る電子レンジの重量検出装置の他の側断面図である。図６に示すように、センサーハウジング３０４の翼部４１０に形成されている突起６０２が調理室１０２の底の背面１０４ｂに形成されている穴形態の位置案内部４１６に挿入されることによってセンサーハウジング３０４の正確な取付位置を限定する。
【００２３】
以上では、本発明を具体的な実施例を挙げて説明してきたが、本発明の思想を外れない範囲内で様々な変形実施が可能であることは当業者にとって自明であり、したがって、本発明の範囲は特許請求の範囲及びその請求の範囲と均等なものによって定められるべきである。
【図面の簡単な説明】
【００２４】
【図１】本発明の一実施例に係る電子レンジを示す斜視図である。
【図２】図１に示した本発明の一実施例に係る電子レンジの制御系統を示すブロック図である。
【図３】図１に示した本発明の一実施例に係る電子レンジに取り付けられる重量検出装置の取付構造を示す斜視図である。
【図４】図３に示した本発明の一実施例に係る電子レンジに取り付けられる重量検出装置の分解斜視図である。
【図５】図３に示した本発明の一実施例に係る電子レンジの重量検出装置の側断面図である。
【図６】図３に示した本発明の一実施例に係る電子レンジの重量検出装置の他の側断面図である。
【符号の説明】
【００２５】
１０２  調理室
１０４ｂ  調理室の底の背面
３０２  ブラケット
３０４  センサーハウジング
３０６  レバー
３０４ａ  レバー締付け部
３０８， ３１０  締付け部材
【図１】
2004361068.tif 000003
【図２】
2004361068.tif 000004
【図３】
2004361068.tif 000005
【図４】
2004361068.tif 000006
【図５】
2004361068.tif 000007
【図６】
2004361068.tif 000008